(57)【要約】【課題】入力した検索結果のデータを表示する際、頭文字毎に、また冠詞を除いた部分の頭文字毎に確実にスキップ表示を行うことができる「検索結果データ表示装置」とする。【解決手段】外部接続オーディオ装置で所定順序に曲データを並べた検索結果の曲データのリストを入力し、曲データにおける先頭部分にＴｈｅ等の所定の冠詞が付されているか否かを判別して、冠詞が付されているときこれを除いた部分の頭文字について、それ以外の曲データは頭文字部分について、大文字、小文字、全角、半角、記号付き文字等を同一文字種であると判別する処理を行う。頭文字が同一文字種であると判別したときにはこれをスキップして次の曲データについて同様の判別処理を行い、同一文字種ではないと判別したときには、曲データのスキップをしない判別を行い、スキップをしない判別を行ったとき、その曲データを先頭にしたリストを表示することによりスキップ表示を行う。【選択図】図１
2008300008.tif 000002
【特許請求の範囲】
【請求項１】
外部に接続したオーディオ装置のオーディオデータを入力しこれを再生出力するとともに、該オーディオ装置の検索結果を曲データ毎に所定の順序で配列した検索結果データを入力して表示を行うオーディオ装置において、
前記各曲データにおける先頭部分に所定の冠詞が付されているか否かを判別する冠詞判別処理部と、
前記冠詞判別処理部で曲データに所定の冠詞が付されていると判別したとき該冠詞を除いた部分の頭文字について、またそれ以外の曲データは頭文字部分について、同一文字種であるか否かを判別する同一文字種判別処理部と、
前記同一文字種判別処理部で頭文字が同一文字種であると判別したときにはこれをスキップして次の曲データについて前記判別処理を行い、同一文字種ではないと判別したときには、該曲データのスキップをしない判別を行うスキップ要否判別部と、
前記スキップ要否判別部でスキップをしない判別を行ったとき、当該曲データを先頭にしたリストを作成するスキップ後表示リスト作成部とを備えたことを特徴とする検索結果スキップ表示装置。
【請求項２】
前記冠詞はＴｈｅであることを特徴とする請求項１記載の検索結果スキップ表示装置。
【請求項３】
前記同一文字種判別処理部は、同一文字の大文字、小文字、全角、半角を同一文字種として判別することを特徴とする請求項１または２に記載の検索結果スキップ表示装置。
【請求項４】
前記同一文字種判別処理部は、同一文字に所定の記号を付した文字を同一文字種として判別することを特徴とする請求項１記載の検索結果スキップ表示装置。
【請求項５】
前記スキップ後表示リスト作成部では、前記入力した検索結果データから既にスキップした文字種の曲データを除いただけのリストを作成することを特徴とする請求項１〜４のいずれかに記載の検索結果スキップ表示装置。
【発明の詳細な説明】
【技術分野】
【０００１】
本発明はメモリやハードディスク等に多数の曲を記録しているオーディオ装置を接続して再生出力するオーディオ装置において、例えばアーティストデータを検索してアルファベット順に表示し、その中から好みのアーティストを選択する際に、アルファベット単位に適切にスキップして表示することができるようにした検索結果スキップ表示装置に関する。
【背景技術】
【０００２】
近年は小型オーディオ装置の発達により、内蔵したメモリやハードディスク等に大量の曲を記録し、これを持ち運んで自由な場所で好みの曲を聴くことができるようになっている。また、例えば車両用オーディオ装置においてもハードディスクを内蔵して大量の曲を記録し、或いはＭＰ３等によりオーディオデータを圧縮して記録したＣＤ等を再生可能とし、またそれらのデータをメモリカードに記録してこれを挿入可能として、高性能のオーディオ装置によって曲を聴くことも多くなっている。
【０００３】
前記のような大量の曲を記録している携帯型のオーディオ装置を車内に持ち込んで曲を聴くとき、車両に備えているオーディオ装置と音声出力可能に接続し、携帯型オーディオ装置で再生した曲を車両のオーディオ装置のスピーカーから出力して聴くこともできる。また、車両のオーディオ装置と携帯型オーディオ装置とを信号の授受可能に接続し、車両用オーディオ装置によって携帯型オーディオ装置の操作を行い、携帯型オーディオ装置に記録したオーディオデータを車両用オーディオ装置に取り込んで再生し、車内のスピーカによって聴くこともできるようになっている。このようなシステムは車両用オーディオ装置に限らず、家庭用のオーディオ装置においても同様に行うことができる。
【０００４】
このような各種のオーディオ装置において曲を聴くとき、このオーディオ装置が予め用意してある検索ソフトによって、ハードディスクやメモリに大量に記録した曲の中から好みのアーティストを選択し、更には特定のアーティストについて好みのアルバムを選択し、その中から任意の曲を聴くことが行われる。そのためこれらのオーディオ装置には曲のサーチ機能を備え、例えばアーティストサーチ、アルバムサーチ、曲名サーチ等を行うことができる。
【０００５】
このとき、例えばアーティストサーチを行う際に、ユーザーがオーディオ装置を操作してアーティストサーチを行う旨の指示を行うと、オーディオデータに記録しているアーティスト名をサーチし、収録しているオーディオデータについて例えばアルファベット順に並べたアーティスト単位のリストを作成して表示し、ユーザーはその中から所望のアーティストを選択することができるようになっている。このことは特定のアーティストについてのアルバムをサーチするときも同様である。
【０００６】
上記のようなアーティストサーチを行ってその結果を表示させる際には、例えばパソコン等の大画面に大量の表示が可能のときには、殆どのアーティスト名を１画面に表示でき、少なくとも数画面分をスクロールすることにより表示することができる。しかしながら、携帯型のオーディオ装置では表示部分が狭く、通常のユーザーが容易に見ることができる程度の字の大きさで表示するとき、１人のアーティストを１行に表示して１画面には数人程度しか表示することができないことが多い。
【０００７】
このことは車両用オーディオ装置においても同様であり、図７にその時のシステム構成及び表示の一例を示している。同図に示す例では、ＭＰ３等により圧縮して多数のオーディオデータを記憶しこれを再生可能としている携帯型オーディオ装置２１を、ヘッドユニット（ＨＵ）として示している車両用オーディオ装置２２に対して、データの送受信可能な接続線２３によって接続している。
【０００８】
それにより、車載オーディオ装置２２の操作によって、携帯型オーディオ装置２１の検索指示信号と同じ信号を出力することにより、携帯型オーディオ装置２１の前記のようなサーチ機能を利用し、サーチ結果を車両用オーディオ装置２２の表示部２５に表示可能としているが、この表示部２５も車両用オーディオ装置２２の大きさに制限があるため、小さなものとならざるを得ない。
【０００９】
なおオーディオ装置において、簡単な操作で多数の項目の内から所望の項目を短時間で検索できるようにした検索方法は特許文献１に開示されている。
【特許文献１】特開２００５−４８９１号公報
【発明の開示】
【発明が解決しようとする課題】
【００１０】
上記のように携帯型オーディオ装置２１を接続して利用する車両用オーディオ装置２２においては、携帯型オーディオ装置２１が備えている検索機能を用いて検索を行っても、検索結果の表示については車両用オーディオ装置２２の表示部２５において行わざるを得ず、携帯型オーディオ装置の表示機能とは異なることがある。
【００１１】
また、車両用オーディオ装置２２の表示部２５は前記のように狭いため、上記のようなアーティスト検索を行い、その結果をこの表示部２５に表示する際には、携帯型オーディオ装置２１と同程度の表示しか行うことができないばかりでなく、携帯型オーディオ装置２１の画面表示はユーザが静止状態で検索等の操作を行うことが多いため細かな文字で比較的多数表示することができるのに対して、車両用オーディオ装置２２においては運転者が利用することが多いため、運転者が容易に見ることができるようにすることを考慮し、表示する文字をあまり小さくすることができない。
【００１２】
したがって例えばアーティスト検索を行うとき、携帯型オーディオ装置のデータ蓄積部に蓄積している曲についての全てのアーティストの名前をアルファベット順に列挙し、その中から特定のアーティストを選択しようとするときには、例えば図５（ａ）に示すように少数の検索結果を表示することしかできない。図示の例では１画面に５人のアーティストしか表示できない例を示しているが、ユーザーはこの表示画面をスクロール操作して所望のアーティストを表示し、そのアーティストを指定することによってアーティストの選択指示を行うこととなる。このとき大量のアーティストが存在する際には、特にリストの後部分に配列されているアーティストが表示されるまでには多くの時間がかかり、また高速スクロールを行うと所望のアーティストの配列部分をはるかに行き過ぎてしまうことがあり、その速度調節には熟練を要する。
【００１３】
そのため、図５（ａ）のような最初の文字、即ち頭文字が「Ａ」であるアーティストを順に表示している画面表示から、「スキップ」の指示を行うことにより例えば図５（ｂ）に示すように最初の文字がＢであるアーティストのリストを表示する。もしも所望のアーティストがこの中に存在すればそのアーティストを指定することとなるが、所望のアーティストの最初の文字が「Ｂ」であるが、この画面に表示されていないときにはこの状態でスクロールすることにより、所望のアーティストを表示させ、指定することができる。同様にユーザーが所望するアーティスト名が例えば「ＴＴＴＴＴ」であるときには、前記スキップ操作を繰り返し、或いはスキップの指示をそのまま継続することにより、Ｃ、Ｄ、Ｅ・・・と順にそれらの文字種を先頭とするアーティストの表示が可能となり、前記スキップとスクロール操作によって「ＴＴＴＴ」を表示させ、指定することができる。
【００１４】
一方、前記のようなアーティスト名によるサーチを行おうとしたとき、携帯型オーディオ装置の検索結果として例えば図６（ａ）に示すように、「ＡＡＡＡＡ」「ａｂｂｂｂ」「ＡＣＣＣＣ」「The Ａｄｄ」「ＡＧＧＧＧ」と順に配列され、この表示列の先頭が「ＡＡＡＡＡ」であることにより、文字「Ａ」についてのリストを表示していることを示すこととなる。即ち、携帯型オーディオ装置の検索機能として、最初の文字がアルファベットの「Ａ」であるアーティストを検索するとき、大文字全角の「Ａ」のほか小文字全角の「ａ」、大文字半角の「A」、小文字半角の「a」も同じグループであるとして配列する。そのほか「Ｔｈｅ  ・・・」というアーティストについては、単なる冠詞の「Ｔｈｅ」を除いた部分にそのアーティストの名前の特徴的な部分があるとして、実際にこの「Ｔｈｅ」を除いて配列を行っている。
【００１５】
このような配列がなされて出力しているとき、これを入力する車両用オーディオ装置において従来と同様の表示機能しかないときには、前記のような「スキップ」の操作指示がなされると、図６（ｂ）に示すように、大文字全角の「Ａ」と小文字全角の「ａ」とは別の文字であると判別し、小文字全角の先頭文字「ａ」をスキップすることなく「ａｂｂｂｂ」のアーティストをスキップ操作指示に対応した次の表示とすることとなる。その結果、先頭の文字が小文字全角の「ａ」のアーティストとして「ａｂｂｂｂ」が存在し、以降のアーティストのリストとして携帯型オーディオ装置からデータ入力したとおり、「ＡＣＣＣＣ」「The Ａｄｄ」「ＡＧＧＧＧ」、「ＡＨＨＨＨ」を表示する。その際にはこの画面表示は先頭の文字が小文字全角の「ａ」であるアーティストのリストを表示していることを示すこととなる。
【００１６】
その後のスキップ指示、或いはスキップ指示の継続により前記と同様に次の文字の検索がなされ、次のアーティストの先頭文字が大文字全角の「Ａ」である、「ＡＣＣＣＣ」であることにより、図６（ｃ）に示すように最初にこの「ＡＣＣＣＣ」を表示し、続いて携帯型オーディオ装置からデータ入力したとおり「The Ａｄｄ」「ＡＧＧＧＧ」、「ＡＨＨＨＨ」、「ＡＭＭＭＭ」を表示する。更にスキップ指示を継続すると、次のアーティストの先頭文字が大文字半角の「T」である、「The Ａｄｄ」であることにより、図６（ｄ）に示すように最初にこの「The Ａｄｄ」を表示し、以降はデータ入力しているとおり「ＡＧＧＧＧ」、「ＡＨＨＨＨ」、「ＡＭＭＭＭ」、「axxxxx」を表示する。
【００１７】
上記のように、携帯型オーディオ装置では内蔵するソフトによって、先頭文字が例えば「Ａ」のとき、大文字、小文字、全角、半角を問わず同じ文字種であるとして、また「Ｔｈｅ」が先頭についているアーティストについてはこれを除いた名前によってアルファベット順に並べて出力するのに対して、このデータを入力する車両用オーディオ装置ではスキップ表示をしようとするとき、車両用オーディオ装置においては前記のように通常のスキップ表示機能で表示することとなる。したがって本来同じ文字種としてスキップ表示したいのに対してこれを行うことができず、また、最初に冠詞の「Ｔｈｅ」が存在するアーティストについて、本来これを除いた部分で判別してスキップを行うことが好ましいのに対して、前記のようにこれを行うことができなかった。
【００１８】
このことは前記のような携帯型オーディオ装置を接続した車両用オーディオ装置においてのみならず、前記の携帯型オーディオ装置を接続した一般家庭用オーディオ装置においても同様の問題を生じ、また前記のような携帯型オーディオ装置以外に、各種のオーディオ装置を接続したときにも生じることが考えられる。同様に、外部のオーディオ機器で出力した検索結果のリストを用いてスキップ表示するとき、外部の機器が同じ文字種、或いは「Ｔｈｅ」を除いた結果に基づいて検索リストを作成し出力しているとき、この検索リストを用いてスキップ表示を行うオーディオ装置がそれに対応することができず、適切なスキップを行うことができない場合は、前記と同様の問題を生じることとなる。
【００１９】
したがって本発明は、外部に接続したオーディオ装置において検索した結果としての曲データについて、この外部に接続したオーディオ装置の機能として、所定の文字種毎に、また先頭の冠詞を除いた文字に基づいて順に並べられた曲データのリストが出力されるとき、これを入力したオーディオ装置で曲データの頭文字部分で文字種毎にスキップ表示を行う際に、確実に所定の文字種毎に表示のスキップを行い、また先頭に所定の冠詞を備えた曲データについては、これ除いた文字部分について先頭の文字が同一文字種であるか否かを判別することができ、それにより確実に所定のスキップ表示を行うことができるようにした検索結果スキップ表示装置を提供することを主たる目的とする。
【課題を解決するための手段】
【００２０】
本発明に係る検索結果スキップ表示装置は、前記課題を解決するため、外部に接続したオーディオ装置のオーディオデータを入力しこれを再生出力するとともに、該オーディオ装置の検索結果を曲データ毎に所定の順序で配列した検索結果データを入力して表示を行うオーディオ装置において、前記各曲データにおける先頭部分に所定の冠詞が付されているか否かを判別する冠詞判別処理部と、前記冠詞判別処理部で曲データに所定の冠詞が付されていると判別したとき該冠詞を除いた部分の頭文字について、またそれ以外の曲データは頭文字部分について、同一文字種であるか否かを判別する同一文字種判別処理部と、前記同一文字種判別処理部で頭文字が同一文字種であると判別したときにはこれをスキップして次の曲データについて前記判別処理を行い、同一文字種ではないと判別したときには、該曲データのスキップをしない判別を行うスキップ要否判別部と、前記スキップ要否判別部でスキップをしない判別を行ったとき、当該曲データを先頭にしたリストを作成するスキップ後表示リスト作成部とを備えたことを特徴とする。
【００２１】
また、本発明に係る他の検索結果スキップ表示装置は、前記検索結果スキップ表示装置において、前記冠詞はＴｈｅであることを特徴とする。
【００２２】
また、本発明に係る他の検索結果スキップ表示装置は、前記検索結果スキップ表示装置において、前記同一文字種判別処理部が、同一文字の大文字、小文字、全角、半角を同一文字種として判別することを特徴とする。
【００２３】
また、本発明に係る他の検索結果スキップ表示装置は、前記検索結果スキップ表示装置において、前記同一文字種判別処理部は、同一文字に所定の記号を付した文字を同一文字種として判別することを特徴とする。
【００２４】
また、本発明に係る他の検索結果スキップ表示装置は、前記検索結果スキップ表示装置において、前記スキップ後表示リスト作成部では、前記入力した検索結果データから既にスキップした文字種の曲データを除いただけのリストを作成することを特徴とする。
【発明の効果】
【００２５】
本発明は上記のように構成したので、外部に接続したオーディオ装置における検索結果を、曲データ毎に所定の順序で配列した検索結果データを入力して表示を行う際に、先頭に所定の冠詞を備えた曲データについては、これ除いた文字部分について、また冠詞を備えない曲データについては先頭の文字について、同一文字種であるか否かを判別することができ、確実に所定のスキップ表示を行うことができるようになる。
【発明を実施するための最良の形態】
【００２６】
本発明は先頭に冠詞が備えた曲データについてはこれを除いた部分の先頭の文字について、また冠詞を備えない曲データについてはその先頭文字について同一文字種であるか否かを判別し、同一文字種ではないときにスキップ表示を行うことができるようにするという課題を、外部に接続したオーディオ装置のオーディオデータを入力しこれを再生出力するとともに、該オーディオ装置の検索結果を曲データ毎に所定の順序で配列した検索結果データを入力して表示を行うオーディオ装置において、前記各曲データにおける先頭部分に所定の冠詞が付されているか否かを判別する冠詞判別処理部と、前記冠詞判別処理部で曲データに所定の冠詞が付されていると判別したとき該冠詞を除いた部分の頭文字について、またそれ以外の曲データは頭文字部分について、同一文字種であるか否かを判別する同一文字種判別処理部と、前記同一文字種判別処理部で頭文字が同一文字種であると判別したときにはこれをスキップして次の曲データについて前記判別処理を行い、同一文字種ではないと判別したときには、該曲データのスキップをしない判別を行うスキップ要否判別部と、前記スキップ要否判別部でスキップをしない判別を行ったとき、当該曲データを先頭にしたリストを作成するスキップ後表示リスト作成部とを備えることによって実現した。
【実施例１】
【００２７】
図１は本発明による検索結果スキップ表示装置の実施例において、検索結果のスキップ表示処理を行う検索結果スキップ表示処理部１の機能ブロック図を示している。同図の検索結果スキップ表示処理部１は、例えば前記図７に示す従来のオーディオ装置のシステム構成と同様に、携帯型オーディオ装置２１を信号線２３等によって信号の授受可能に接続した車両用オーディオ装置２２の内部機能の処理部として用いられる。
【００２８】
図１の検索結果スキップ表示処理部１にはこのオーディオ装置に接続した前記のような携帯型オーディ装置から曲データを取り込む検索結果曲データ入力部２を備えており、この検索結果曲データ入力部２では携帯型オーディ装置で出力した、例えばアーティストサーチの結果としてのアルファベット順のデータも取得する。ここで取得するアーティストサーチ結果の各アーティストの頭文字について、アルファベット順に並べたデータとしては、例えば同図においてサーチ画面表示例として示している画面表示例１３Ａのように、また後述する図４（ａ）のように、「ＡＡＡＡＡ」「ａｂｂｂｂ」「ＡＣＣＣＣ」「The Ａｄｄ」「ＡＧＧＧＧ」・・・と順に配列された検索結果を入力することとなる。
【００２９】
即ち前記のように、携帯型オーディオ装置の検索機能として、頭文字がアルファベットの「Ａ」であるアーティストを検索するとき、大文字全角の「Ａ」のほか小文字全角の「ａ」、大文字半角の「A」、小文字半角の「a」も同じ文字種であるとして配列する。そのほか「Ｔｈｅ  ・・・」というアーティストについては、単なる冠詞の「Ｔｈｅ」を除いた部分にそのアーティストの名前の特徴的な部分があるとして、この「Ｔｈｅ」を除いた部分の先頭文字に基づいて配列を行って出力している。
【００３０】
検索結果スキップ表示処理部１における冠詞「The」判別処理部３では、前記検索結果曲データ入力部２で携帯型オーディ装置から取得した前記のような検索結果のアルファベット順データにおいて、アーティスト名の最初に冠詞の「Ｔｈｅ」が存在するか否かをチェックする処理を行う。ここには「Ｔｈｅ」パターン比較部４を備え、冠詞としての「Ｔｈｅ」について、「ＴＨＥ」「ｔｈｅ」「Ｔｈｅ」のパターンで使用されていることを考慮し、これらが全て冠詞の「Ｔｈｅ」であることを判別する。
【００３１】
冠詞「The」判別処理部３における「Ｔｈｅ」の後のスペースチェック処理部５では、アーティスト名の最初に前記のような「Ｔｈｅ」が存在する場合でも、例えば「Ｔｈｅｒｅ」のような文字の一部であることも有り得るため、「Ｔｈｅ」の直後にスペースが存在するか否かのチェック処理を行う。なお、「Ｔｈｅ」の後にスペースを半角、全角の態様を含め、ユーザーの入力の仕方次第でスペースを３個入れる等の態様が考えられるが、少なくとも１個のスペースが存在するとき、冠詞の「Ｔｈｅ」であると判別することができる。またユーザーの各種の態様を考慮して「Ｔｈｅ」と次の文字の間のスペースは１〜３文字までチェックするようにしても良い。
【００３２】
同一文字種判別処理部６では、前記検索結果曲データ入力部２で携帯型オーディ装置から入力した前記のようなアルファベット順データにおいては、スキップ文字種特定部８で特定した例えばアルファベットの「Ａ」について、大文字全角の「Ａ」、小文字全角の「ａ」、大文字半角の「A」、小文字半角の「a」が存在し、これらは同一文字種として取り扱われて出力されているので、このオーディオ装置においても同様に取り扱うため、このような同一文字種であるものを判別する。
【００３３】
図示の例ではこの同一文字種判別処理部６に同一文字種テーブル７を備え、図１に例示するような、或いは図３に示すような種々の文字を全て同一文字種として扱う処理を容易に行うためのテーブルを備える。即ちこのテーブルの利用に際しては、入力した曲データにおけるアーティスト名の最初の文字のアスキーコードやユニコード或いはシフトＪＩＳコード等のコード番号を検出し、図示するような同一文字種テーブル７に登録してあるコード番号とを比較することにより、同一文字種であるか否かを容易に判別することができる。
【００３４】
この同一文字種判別処理部６では、前記のように冠詞「The」判別処理部３で文字の先頭に冠詞の「Ｔｈｅ」が存在することを検出したとき、その検出信号を入力して、その冠詞の後のスペースに続く文字を本来の最初の文字とみなし、その文字について同一文字種であるか否かの前記のようなチェックを行う。
【００３５】
スキップ要否判別部１０では、冠詞「The」判別処理部３におけるチェック結果、及び同一文字種判別処理部６での判別処理結果により、スキップ文字種特定部８で特定された文字種であるか否かを判別し、それにより同一文字種であると判別したときにはスキップして次のアーティスト名等の曲データを取り込み、その曲データについて前記のような比較検討を行い、同じ文字種ではないと判別したときにはスキップしないものと判別する。
【００３６】
スキップ後表示リスト作成部１１では、スキップ要否判別部１０でスキップを要しないと判別した信号を入力して、そのスキップを要しないと判別したアーティストを先頭とするリストを作成する。また、スキップ後リスト表示出力部１２では、スキップ後表示リスト作成部１１で作成したリストを表示画面に出力する。その結果、同図にサーチ画面表示例としての画面表示例１３Ａ、１３Ｂ、１３Ｃに示すように、的確なアルファベット順のスキップ表示を行うことができる。
【００３７】
スキップ指示入力部９ではオーディオ装置のリモコンから、或いはオーディオ装置のキー操作によりスキップの指示を入力する。このとき、ユーザーによる１回毎の指示入力のほか、所定時間以上の連続的なキー押圧操作を検出して、アルファベット順に自動的にスキップさせても良い。スキップ文字種特定部８では、このようなスキップ指示入力に応じて、また現在リスト表示している文字種の先頭の文字を判別する等の手法で、スキップ表示処理を行う文字種を特定する。
【００３８】
図１に示すような機能ブロックからなる検索結果スキップ表示処理部１では、図２に示すような作動フローに従って順に作動させることにより、本発明のスキップ表示を行うことができる。図２に示す検索結果スキップ表示処理の例においては、例えばアーティスト名から曲を選択するため、最初にユーザーがアーティストをアルファベット順に表示する指示を行い、それに対応して外部接続機器等からアーティスト名をアルファベット順に並べたデータの出力がなされ、そのデータに基づいてアルファベットの最初の文字である「Ａ」における最初のアーティストから画面表示可能な分だけ、アルファベット順の初期表示がなされる（ステップＳ１）。この状態は図１の画面表示例１４Ａ、及び別の表示態様としての図４（ａ）に示している。
【００３９】
その後、ユーザーから同一文字種単位にスキップ表示を行う指示があったか否かを判別している（ステップＳ２）。このようなスキップ表示の指示は、特に蓄積オーディオデータが多いときアーティストが大量に存在し、単にスクロールするだけでは時間がかかりそうな場合、ユーザーの意志により所定の操作が行われる。この判別処理は図１のスキップ指示入力部９でユーザーからの指示信号をを入力したか否かを検出することにより判別することができる。
【００４０】
ステップＳ２において同一文字種単位のスキップ表示指示の入力があったと判別したときには、文字種を順に特定する（ステップＳ３）。即ち、前記のように初期画面表示としてアルファベットの最初の文字種である「Ａ」の最初の部分からのリスト表示がなされているときには、この文字種「Ａ」を特定する文字種とする。また、その後のスキップ処理により次の文字種である「Ｂ」のリストを表示するときには「Ｂ」を、特定する文字種とする。
【００４１】
その後、現在表示している文字種の１番目のアーティスト名である「ＡＡＡＡＡ」の次の曲データとしての第２のアーティスト名である「ａｂｂｂｂ」を取得する（ステップＳ４）。次いで図示の例では「Ｔｈｅ」のパターン比較処理を行う（ステップＳ５）。即ちここではアーティスト名の最初に冠詞の「Ｔｈｅ」を付けているときには、携帯型オーディ装置ではこれを除いた部分にアーティスト名の特徴があるとみなして、一連のアーティスト名のリストを作成して出力しているので、それに対応するため最初に「Ｔｈｅ」のパターン比較処理を行っている。
【００４２】
このパターン比較処理に際しては、最初にアーティスト名の先頭部分に「Ｔｈｅ」が存在するか否かの判別を行うこととなるが、その際には「Ｔｈｅ」の文字にも種々の用い方があり、全大文字の「ＴＨＥ」、全小文字の「ｔｈｅ」、更には全角、半角を含めて種々存在するため、「Ｔｈｅ」、「ＴＨＥ」、「ｔｈｅ」等の予め登録しているいずれかが文字の先頭部分に存在するとき、「Ｔｈｅ」である可能性があるものとして処理する。これらの処理は図１の冠詞「The」判別処理部３における「Ｔｈｅ」パターン比較処理部４で、前記のようにして行われる。
【００４３】
その後パターンは一致したか否かを判別する（ステップＳ６）。ここで前記処理の結果前記種々の「Ｔｈｅ」のパターンのうちのいずれかに一致すると判別したときには、続いて「Ｔｈｅ」の次にスペースが存在するか否かを判別する処理を行う（ステップＳ７）。即ちここでは前記のように、文字の先頭部分に「Ｔｈｅ」が存在しても、その文字は「Ｔｈｅｒｅ」等の他の文字の一部であることも考えられるためこれと識別し、「Ｔｈｅ」が独立した文字としての冠詞の「Ｔｈｅ」であるか否かを判別するために、「Ｔｈｅ」の後にスペースが存在するか否かを判別している。このような処理は特に文字種がアルファベットの「Ｔ」のときに多く存在することが考えられる。この処理は図１の「Ｔｈｅ」の後のスペースチェック処理部５で行われる。
【００４４】
次いで、前記ステップＳ６において「Ｔｈｅ」のパターンは一致しないと判別したときも含めて、同一文字種か否かのチェック処理を行う（ステップＳ８）。この処理においては例えば図３の同一文字種テーブル例に示すように、同じ文字種の「Ａ」についても、前記のように大文字全角、大文字半角、小文字全角、小文字半角を初め、フランス語で主として用いられるアクサングラーブ付、アクサンシルコンフレクス付、セディーユ付、アクサンテギュ付、アクサンシルコンフレクス付、トレマ付、スウェーデン語で主として用いられるリング付、ドイツ語で主として用いられるウムラウト付、スペイン語やポルトガル語で主として用いられるティルデ付、チェコ語やフィンランド語で主として用いられるハーチェク付、ポーランド語で主として用いられるオゴネク付、ドット付、ストローク付、更にはアルファベット文字を丸記号で囲んだ丸囲い文字等々の、アルファベット文字に対して各種の記号を付した記号付文字についても、この記号を取り除いたアルファベット文字の文字種であると判別できるようにする。
【００４５】
これらの同一文字種の判別のため、図３に示すような種々の文字に対応するアスキーコードやユニコード、更にはシフトＪＩＳコード等の統一されたコード番号を同一文字種テーブル内に記録しておく。それによりステップＳ９における前と同じ文字種か否かの判別に際して、このテーブルを参照して、テーブルに記録されているコード番号のときには同じ文字種と判別する。それにより例えば図４（ａ）において「ａｂｂｂｂ」も前と同じ文字種として判別してスキップさせることができる。また、このステップＳ９で前と同じ文字種と判別したときには、例えば次にリストアップされているアーティスト等の、次の曲データの取得を行い（ステップＳ１０）、その後ステップＳ５に戻って前記比較処理等を繰り返す。
【００４６】
ステップＳ９において前と同じ文字種ではないと判別したときには、このアーティストから別の文字種になったものとみなして、このアーティストを先頭とするリスト表示を行う（ステップＳ１０）。このリスト表示に際しては、スキップ後表示リスト作成部１１で、外部接続オーディオ装置から入力した検索結果データの中から既にスキップした文字種の曲データを除いただけのリストを作成することができる。即ち、先頭となったアーティストの最初の文字の文字種が例えば「Ｂ」であったとき、この「Ｂ」を頭文字に持っていると見なされる文字種のリストのみを表示するように設定する必要がなく、この文字種以降に存在する全ての文字種の曲データを全て表示用リストとしておいても、前記スキップ表示処理には支障がない。したがって、現在リストアップしている最初の文字種が例えば「Ｂ」であることを画面表示することにより、実質的にその文字種のみのリスト表示した場合と大きな相違はなくなり、表示処理が容易となる。
【００４７】
上記のような処理を行う結果、図４（ａ）に示すようなアーティスト検索結果のアーティスト名のリストにしたがって、上から順にその前のアーティスト名と実質的に同じ文字種であるか否かの判別を行い、同図（ａ）に示されたよなあーティストは全てスキップし、「ＢＢＢＢＢ」が現れたところで別の文字種と判別し、同図（ｂ）のような表示を行うことができる。同様にここに表示されたようなアーティストについて、「ｂｃｃｃｃ」「The  ｂｅａ」「ＴＨＥ ＢＦ」等もスキップし、「ＣＣＣＣＣ」のアーティストが現れたところで別の文字種と判別することとなる。以降同様の処理により同図（ｄ）の表示等、適切なスキップ表示を行うことができ、従来のものにおける図６のような表示を行う問題を解消することができる。
【００４８】
前記の例においてはアーティストサーチ時の例について述べたが、そのほかアルバムサーチ等種々のサーチ時にも同様にして用いることができる。また前記のような冠詞としての「Ｔｈｅ」を外す処理を行うほか、「ａ」あるいはフランス語の「ｌｅ」「ｌａ」、同様にしてドイツ語、スペイン語等々同様の冠詞についてこれを外して同一文字種の判別を行う手法を追加しても良い。このような種々の言語について考慮することにより、近年のＷｅｂによる楽曲データ収集の多用によってオーディオデータが国際化し、これらのアーティスト検索等に際して前記のような文字種毎の表示を行う際に有用となる。  
【図面の簡単な説明】
【００４９】
【図１】本発明の実施例の機能ブロック図である。
【図２】同実施例における検索結果スキップ表示処理の作動フロー図である。
【図３】同一文字種テールの例を示す図である。
【図４】本発明によるスキップ表示例を示す図である。
【図５】スキップ表示の基本例を示す図である。
【図６】従来のスキップ表示例を示す図である。
【図７】本発明が前提とするオーディオ装置のシステム構成例を示す図である。
【符号の説明】
【００５０】
１  検索結果スキップ表示処理部  
２  検索結果曲データ入力部
３  冠詞「Ｔｈｅ」判別処理部
４  「Ｔｈｅ」パターン比較処理部
５  「Ｔｈｅ」の後のスペースチェック処理部
６  同一文字種判別処理部
７  同一文字種テーブル
８  スキップ文字種特定部
９  スキップ指示入力部
１０  スキップ要否判別部
１１  スキップ後表示リスト作成部
１２  スキップ後リスト表示出力部
１３  サーチ画面表示例
【図１】
2008300008.tif 000003
【図２】
2008300008.tif 000004
【図３】
2008300008.tif 000005
【図４】
2008300008.tif 000006
【図５】
2008300008.tif 000007
【図６】
2008300008.tif 000008
【図７】
2008300008.tif 000009